(57)【要約】【課題】簡易な構成でありながら非常に高いシールド効果を得ることができ同軸ケーブル接続部のシールド構造を提供する。【解決手段】シールドケース３０は、シールドケース本体３１及び該シールドケース本体３１の前面に取付けた接続部シールドケース３２ａ〜３２ｃを備える。シールドケース本体３１には芯線金具３６ａ〜３６ｃを取付けた回路基板３５を収納する。同軸ケーブル５１ａ〜５１ｃは、先端から芯線５２ａ〜５２ｃ及び編組線５３ａ〜５３ｃを一定長さ露出させ、編組線５３ａ〜５３ｃ部分を接続部シールドケース３２ａ〜３２ｃ内に挿入し、芯線５２ａ〜５２ｃをシールドケース本体３１の芯線挿入用の穴３７ａ〜３７ｃ内に挿入して芯線金具３６ａ〜３６ｃに接続する。そして、接続部シールドケース３２ａ〜３２ｃの止めネジ４２ａ〜４２ｃを締付け、固定バンド４４ａ〜４４ｃにより編組線５３ａ〜５３ｃを固定する。【選択図】図１
2011119523.tif 000002
【特許請求の範囲】
【請求項１】
シールドケース本体と、前記シールドケース本体の外側面に装着される複数の接続部シールドケースと、前記シールドケース本体内に収納される回路基板と、前記各接続部シールドケースに設けられ、外部から挿入される同軸ケーブル先端の露出された編組線部分を固定して電気的に接続する編組線固定手段と、前記シールドケース本体の前記接続部シールドケース装着位置に設けられる芯線挿入用穴と、前記回路基板上において前記各芯線挿入用穴に対応して設けられる複数の芯線金具とを具備し、
前記各接続部シールドケースに編組線部分が固定されて前記芯線挿入用穴より前記シールドケース本体内に挿入される同軸ケーブル先端の露出された芯線を前記各芯線金具に接続して保持することを特徴とする同軸ケーブル接続部のシールド構造。
【発明の詳細な説明】
【技術分野】
【０００１】
本発明は、例えば分配器や混合器等のテレビ受信用電子機器における同軸ケーブル接続部のシールド構造に関する。
【背景技術】
【０００２】
従来、例えばテレビ受信アンテナにより受信したテレビ放送波や、ケーブルテレビシステムにおいて同軸ケーブルにより送られてくテレビ放送波を複数のテレビ受像機等に分配する場合、分配器を使用して信号の分配を行っている（例えば、特許文献１参照。）。
【０００３】
図４は同軸ケーブルをテレビ受信用電子機器例えば分配器に直付け（直接接続）する従来の簡易型２分配器の構成を示したもので、（ａ）は同軸ケーブルを接続する前の状態を示す斜視図、（ｂ）は同軸ケーブルを接続した状態を示す斜視図である。
【０００４】
図４において、１１は回路基板で、この回路基板１１には分配器回路が構成される。上記回路基板１１の上面には、前端に近接してケーブル固定金具１２ａ、１２ｂ、１２ｃが設けられると共に、該ケーブル固定金具１２ａ、１２ｂ、１２ｃに対応して芯線金具１３ａ、１３ｂ、１３ｃが設けられる。上記ケーブル固定金具１２ａ、１２ｂ、１２ｃは、分配器回路のアース配線に接続される。また、芯線金具１３ａは分配器回路の信号入力端に接続され、他の芯線金具１３ｂ、１３ｃは分配器回路の信号出力端に接続される。
【０００５】
上記ケーブル固定金具１２ａ、１２ｂ、１２ｃは、ネジ式の固定金具であり、ネジ１４ａ、１４ｂ、１４ｃによって同軸ケーブル１５ａ、１５ｂ、１５ｃの編組線１７ａ、１７ｂ、１７ｃ部分を固定するようになっている。上記ケーブル固定金具１２ａは入力側の同軸ケーブル１５ａの編組線１７ａを固定し、ケーブル固定金具１２ｂ、１２ｃは出力側の同軸ケーブル１５ｂ、１５ｃの編組線１７ｂ、１７ｃを固定する。また、芯線金具１３ａ、１３ｂ、１３ｃは、例えば先端部分が板バネによって構成された板バネ式の金具であり、板バネ部分の弾性力によって同軸ケーブル１５ａ、１５ｂ、１５ｃの芯線１６ａ、１６ｂ、１６ｃを保持する。上記芯線金具１３ａ、１３ｂ、１３ｃとしては、板バネ式の他、ネジによって同軸ケーブル１５ａ、１５ｂ、１５ｃの芯線を固定するネジ式のものも従来から使用されている。
【０００６】
上記のように構成された回路基板１１は、図示ないが樹脂ケースに収納される。この樹脂ケースには、同軸ケーブル１５ａ、１５ｂ、１５ｃを装着するためのケーブル挿通孔が設けられている。
【０００７】
上記同軸ケーブル１５ａ、１５ｂ、１５ｃを分配器に接続する際は、図４（ａ）に示すように同軸ケーブル１５ａ、１５ｂ、１５ｃの先端から芯線１６ａ、１６ｂ、１６ｃ及び編組線１７ａ、１７ｂ、１７ｃをそれぞれ一定長さ露出させる。そして、ケーブル固定金具１２ａ、１２ｂ、１２ｃのネジ１４ａ、１４ｂ、１４ｃを緩めた状態で、同軸ケーブル１５ａ、１５ｂ、１５ｃの芯線１６ａ、１６ｂ、１６ｃをケーブル固定金具１２ａ、１２ｂ、１２ｃ内に挿通させて芯線金具１３ａ、１３ｂ、１３ｃの板バネ部分に圧入すると共に、露出させた編組線１７ａ、１７ｂ、１７ｃ部分を芯線金具１３ａ、１３ｂ、１３ｃの内側に位置させる。この状態でネジ１４ａ、１４ｂ、１４ｃを締め付けて同軸ケーブル１５ａ、１５ｂ、１５ｃの編組線１７ａ、１７ｂ、１７ｃ部分を固定する。このとき編組線１７ａ、１７ｂ、１７ｃはケーブル固定金具１２ａ、１２ｂ、１２ｃに電気的に接続されてアースされた状態となる。
【０００８】
上記のように構成された従来の分配器は、同軸ケーブル１５ａ、１５ｂ、１５ｃの芯線１６ａ、１６ｂ、１６ｃと芯線金具１３ａ、１３ｂ、１３ｃとの接続部分がシールドされていないので、この部分から外部への電波漏洩（不要放射）が発生して他の電子機器に影響したり、外来電波の飛込みにより受信しているテレビ放送の画質が劣化するという問題がある。
【０００９】
このような問題を解決するため、図５に示すようにシールドケース内に回路基板を収納すると共に、回路基板と同軸ケーブルとの接続部にＦ型接栓及びＦ型コネクタを使用して外部への電波漏洩や外来電波の飛込みを防止するようにした接栓・コネクタ接続方式の分配器が用いられている。
【００１０】
図５は従来の接栓・コネクタ接続方式の２分配器の構成を示したもので、（ａ）は同軸ケーブルを接続する前の状態を示す斜視図、（ｂ）は同軸ケーブルを接続した状態を示す斜視図である。
【００１１】
図５において、２１はシールドケース本体で、このシールドケース本体２１の上面開口部にシールド蓋２２が着脱可能に設けられる。上記シールドケース本体２１内には、分配器回路が構成された回路基板２３が収納される。また、シールドケース本体２１の前面には、Ｆ型コネクタ２４ａ、２４ｂ、２４ｃが装着される。Ｆ型コネクタ２４ａは信号入力側のコネクタで、回路基板２３に設けられた分配器回路の信号入力端に接続される。また、Ｆ型コネクタ２４ｂ、２４ｃは信号出力側のコネクタで、回路基板２３に設けられた分配器回路の信号出力端に接続される。
【００１２】
一方、上記Ｆ型コネクタ２４ａ、２４ｂ、２４ｃに接続する同軸ケーブル２５ａ、２５ｂ、２５ｃの端部には、該同軸ケーブルのサイズ（太さ）に適合するＦ型接栓２６ａ、２６ｂ、２６ｃが取付けられる。そして、上記同軸ケーブル２５ａ、２５ｂ、２５ｃは、Ｆ型接栓２６ａ、２６ｂ、２６ｃをシールドケース本体２１の前面に設けられたＦ型コネクタ２４ａ、２４ｂ、２４ｃに螺着することで分配器に接続される。上記同軸ケーブル２５ａは信号入力側のケーブル、同軸ケーブル２５ｂ、２５ｃは信号出力側のケーブルである。なお、上記分配器は、図示しないが樹脂ケース内に収納される。
【００１３】
上記のように構成された接栓・コネクタ接続方式の分配器は、シールドケース本体２１内に回路基板２３を収納し、同軸ケーブル２５ａ、２５ｂ、２５ｃと回路基板２３に設けられた分配器回路との接続をＦ型コネクタ２４ａ、２４ｂ、２４ｃ及びＦ型接栓２６ａ、２６ｂ、２６ｃにより行ない、全ての信号経路をシールドした構造となっているので、外部への電波の漏洩（不要放射）や外来電波の飛込みを高い精度で防止することができる。
【先行技術文献】
【特許文献】
【００１４】
【特許文献１】実開昭４９−７９１２２号公報
【発明の概要】
【発明が解決しようとする課題】
【００１５】
上記のように接栓・コネクタ接続方式の分配器構造とすることにより、外部への電波の漏洩（不要放射）や外来電波の飛込みを防止することができる。しかし、分配器側にＦ型コネクタ２４ａ、２４ｂ、２４ｃを設けると共に、同軸ケーブル２５ａ、２５ｂ、２５ｃの端部にＦ型接栓２６ａ、２６ｂ、２６ｃを取付けているので、高価になるという問題がある。また、同軸ケーブルにＦ型接栓を取付ける場合には、特殊工具が必要である為、接続作業効率が低下してしまう。
【００１６】
本発明は上記の課題を解決するためになされたもので、同軸ケーブルの接続に簡易な接続方法を用いながら非常に高いシールド効果を得ることができ、安価であり、且つ接続作業を円滑に行うことができる同軸ケーブル接続部のシールド構造を提供することを目的とする。
【課題を解決するための手段】
【００１７】
本発明に係る同軸ケーブル接続部のシールド構造は、シールドケース本体と、前記シールドケース本体の外側面に装着される複数の接続部シールドケースと、前記シールドケース本体内に収納される回路基板と、前記各接続部シールドケースに設けられ、外部から挿入される同軸ケーブル先端の露出された編組線部分を固定して電気的に接続する編組線固定手段と、前記シールドケース本体の前記接続部シールドケース装着位置に設けられる芯線挿入用穴と、前記回路基板上において前記各芯線挿入用穴に対応して設けられる複数の芯線金具とを具備し、前記各接続部シールドケースに編組線部分が固定されて前記芯線挿入用穴より前記シールドケース本体内に挿入される同軸ケーブル先端の露出された芯線を前記各芯線金具に接続して保持することを特徴とする。
【発明の効果】
【００１８】
本発明によれば、同軸ケーブルの接続に接栓やコネクタ等を用いることなく、簡易な構成でありながら非常に高いシールド効果を得ることができる。また、同軸ケーブルには接栓を取付けていないので、安価であり、特殊工具を必要とせず、接続作業を円滑に行うことができる。
【図面の簡単な説明】
【００１９】
【図１】本発明を２分配器に実施した場合の構成例を示し、（ａ）は分解斜視図、（ｂ）は同軸ケーブルを分配器に接続する際の状態を示す斜視図、（ｃ）は同軸ケーブルを分配器に接続した状態を示す斜視図である。
【図２】図１（ｃ）におけるＡ−Ａ線矢視断面図である。
【図３】本発明の実施例１に係る分配器と従来の分配器のシールド性能を比較して示すシールド特性図である。
【図４】従来の簡易型２分配器の構成を示し、（ａ）は同軸ケーブルを接続する前の状態を示す斜視図、（ｂ）は同軸ケーブルを接続した状態を示す斜視図である。
【図５】従来の接栓・コネクタ接続方式の２分配器の構成を示し、（ａ）は同軸ケーブルを接続する前の状態を示す斜視図、（ｂ）は同軸ケーブルを接続した状態を示す斜視図である。
【発明を実施するための形態】
【００２０】
以下、本発明の実施の形態について図面を参照して詳細に説明する。
【実施例１】
【００２１】
図１は本発明を２分配器に実施した場合の構成例を示したもので、（ａ）は分解斜視図、（ｂ）は同軸ケーブルを分配器に接続する際の状態を示す斜視図、（ｃ）は同軸ケーブルを分配器に接続した状態を示す斜視図である。図２は図１（ｃ）におけるＡ−Ａ線矢視断面図である。
【００２２】
図１及び図２において、３０はシールドケースで、シールドケース本体３１及び該シールドケース本体３１の外側面例えば前面側に設けられる接続部シールドケース３２ａ、３２ｂ、３２ｃによって構成される。上記シールドケース３０は、例えば板金プレス、ダイカスト、成形メッキ品などにより形成される。上記シールドケース本体３１は、上部及び下部、もしくは上部のみが開口した箱状に形成され、上部開口部及び下部開口部、もしくは上部開口部のみにシールドケース蓋３３ａ、３３ｂ、もしくはシールドケース蓋３３ａのみが着脱可能に設けられる。
【００２３】
上記シールドケース本体３１内には、分配器回路が設けられた回路基板３５が収納され、所定の高さ位置に保持される。上記回路基板３５の上面には、前端側に近接して芯線金具３６ａ、３６ｂ、３６ｃが設けられる。芯線金具３６ａは回路基板３５に設けられた分配器回路の信号入力端に接続され、他の芯線金具３６ｂ、３６ｃは上記分配器回路の信号出力端に接続される。芯線金具３６ａ、３６ｂ、３６ｃは、例えば先端部分が板バネによって構成された板バネ式の金具であり、板バネ部分の弾性力によって同軸ケーブル５１ａ、５１ｂ、５１ｃの芯線５２ａ、５２ｂ、５２ｃを保持する。
【００２４】
上記シールドケース本体３１の前面には、同軸ケーブル５１ａ、５１ｂ、５１ｃの芯線挿入用の穴３７ａ、３７ｂ、３７ｃが所定の間隔で設けられる。この芯線挿入用の穴３７ａ、３７ｂ、３７ｃと上記芯線金具３６ａ、３６ｂ、３６ｃとは、対応する位置に設けられる。更に、シールドケース本体３１の前面には、芯線挿入用の穴３７ａ、３７ｂ、３７ｃの近傍に接続部シールドケース３２ａ、３２ｂ、３２ｃを取付けるための溝３８ａ、３８ｂ、３８ｃが設けられる。上記溝３８ａ、３８ｂ、３８ｃは、それぞれ芯線挿入用の穴３７ａ、３７ｂ、３７ｃの周囲に複数個所、例えば穴の上側及び両側の３個所に設けられる。
【００２５】
上記接続部シールドケース３２ａ、３２ｂ、３２ｃは、背面が開口した箱状に形成され、前面にケーブル挿通用の穴３９ａ、３９ｂ、３９ｃが下方に偏倚して、すなわち、ケーブル挿通用の穴３９ａ、３９ｂ、３９ｃの最低部が接続部シールドケース３２ａ、３２ｂ、３２ｃの内側底面に略一致するように設けられる。上記ケーブル挿通用の穴３９ａ、３９ｂ、３９ｃの直径は、接続する同軸ケーブル５１ａ、５１ｂ、５１ｃの編組線５３ａ、５３ｂ、５３ｃ部分における直径よりやや大きく設定する。
【００２６】
また、接続部シールドケース３２ａ、３２ｂ、３２ｃには、後端側に係合用突部４１ａ、４１ｂ、４１ｃが設けられる。この係合用突部４１ａ、４１ｂ、４１ｃは、それぞれ接続部シールドケース３２ａ、３２ｂ、３２ｃの後端側に複数個所、例えば上部及び左右両側部の３個所に設けられる。上記各係合用突部４１ａ、４１ｂ、４１ｃは、シールドケース本体３１の芯線挿入用の穴３７ａ、３７ｂ、３７ｃの周囲に設けた溝３８ａ、３８ｂ、３８ｃに対応する位置に設けられる。
【００２７】
また、接続部シールドケース３２ａ、３２ｂ、３２ｃの上面にはネジ穴が設けられ、このネジ穴に止めネジ４２ａ、４２ｂ、４２ｃが螺着され、その先端部が接続部シールドケース３２ａ、３２ｂ、３２ｃ内に挿入される。接続部シールドケース３２ａ、３２ｂ、３２ｃ内に挿入された止めネジ４２ａ、４２ｂ、４２ｃの先端部には、抜け止め樹脂ワッシャ４３ａ、４３ｂ、４３ｃが装着される。更に接続部シールドケース３２ａ、３２ｂ、３２ｃ内には、ケーブル固定用の固定バンド４４ａ、４４ｂ、４４ｃが背面開口部から挿入される。固定バンド４４ａ、４４ｂ、４４ｃは、金属板により薄い箱状に形成したもので、前端面が開口されると共に上面の前端から中央部に位置するように略Ｕ字状のネジ挿入溝４５ａ、４５ｂ、４５ｃが設けられる。また、固定バンド４４ａ、４４ｂ、４４ｃは、底板が内側方向に湾曲するように円弧状に形成される。そして、上記止めネジ４２ａ、４２ｂ、４２ｃの先端及び抜け止め樹脂ワッシャ４３ａ、４３ｂ、４３ｃを固定バンド４４ａ、４４ｂ、４４ｃの前端開口部からネジ挿入溝４５ａ、４５ｂ、４５ｃに沿って固定バンド内に挿入し、樹脂ワッシャ４３ａ、４３ｂ、４３ｃにより固定バンド４４ａ、４４ｂ、４４ｃを保持する。
【００２８】
上記固定バンド４４ａ、４４ｂ、４４ｃを取付けた接続部シールドケース３２ａ、３２ｂ、３２ｃは、係合用突部４１ａ、４１ｂ、４１ｃをシールドケース本体３１の前面に設けた溝３８ａ、３８ｂ、３８ｃ内に挿入し、その挿入先端を図２に示すように折曲げることでシールドケース本体３１に取付け、且つ、係合用突部４１ａ、４１ｂ、４１ｃの先端折曲げ部に半田付け４６を行う。これにより接続部シールドケース３２ａ、３２ｂ、３２ｃは、シールドケース本体３１に電気的に接続されてアースされた状態となる。
【００２９】
次に上記のように構成された分配器に同軸ケーブル５１ａ、５１ｂ、５１ｃを接続する際の処理について説明する。
【００３０】
先ず、シールドケース本体３１のシールドケース蓋３３ａを開けた後、図１（ｂ）に示すように同軸ケーブル５１ａ、５１ｂ、５１ｃの先端から芯線５２ａ、５２ｂ、５２ｃ及び編組線５３ａ、５３ｂ、５３ｃをそれぞれ一定長さ露出させる。次に接続部シールドケース３２ａ、３２ｂ、３２ｃのネジ４２ａ、４２ｂ、４２ｃを緩めた状態で、ケーブル挿通用の穴３９ａ、３９ｂ、３９ｃから同軸ケーブル５１ａ、５１ｂ、５１ｃの先端部を挿入し、露出させた編組線５３ａ、５３ｂ、５３ｃ部分を接続部シールドケース３２ａ、３２ｂ、３２ｃ内に位置させると共に、芯線５２ａ、５２ｂ、５２ｃを芯線挿入用の穴３７ａ、３７ｂ、３７ｃからシールドケース本体３１内に挿入し、その先端を芯線金具３６ａ、３６ｂ、３６ｃの板バネ部分に圧入する。これにより同軸ケーブル５１ａ、５１ｂ、５１ｃの芯線５２ａ、５２ｂ、５２ｃと芯線金具３６ａ、３６ｂ、３６ｃが電気的に接続される。
【００３１】
上記接続部シールドケース３２ａ、３２ｂ、３２ｃ内に挿入した同軸ケーブル５１ａ、５１ｂ、５１ｃの編組線５３ａ、５３ｂ、５３ｃは、固定バンド４４ａ、４４ｂ、４４ｃの下側に位置している。この状態で接続部シールドケース３２ａ、３２ｂ、３２ｃの止めネジ４２ａ、４２ｂ、４２ｃを締め付け、固定バンド４４ａ、４４ｂ、４４ｃを同軸ケーブル５１ａ、５１ｂ、５１ｃの編組線５３ａ、５３ｂ、５３ｃに圧接して接続部シールドケース３２ａ、３２ｂ、３２ｃに固定する。このとき編組線５３ａ、５３ｂ、５３ｃは、下側部が接続部シールドケース３２ａ、３２ｂ、３２ｃの底面に直接接触して電気的に接続されると共に、上側部が固定バンド４４ａ、４４ｂ、４４ｃ及び止めネジ４２ａ、４２ｂ、４２ｃを介して接続部シールドケース３２ａ、３２ｂ、３２ｃに電気的に接続される。この結果、同軸ケーブル５１ａ、５１ｂ、５１ｃの編組線５３ａ、５３ｂ、５３ｃは、接続部シールドケース３２ａ、３２ｂ、３２ｃを介してシールドケース本体３１に電気的に接続されてアースされる。
【００３２】
その後、シールドケース本体３１の上部開口部にシールドケース蓋３３ａを取付け、同軸ケーブル５１ａ、５１ｂ、５１ｃと分配器との接続処理を終了する。
【００３３】
上記のように同軸ケーブル５１ａ、５１ｂ、５１ｃを接続した分配器は、図示しないが例えば樹脂ケース等に収納される。
【００３４】
本発明は上記実施例１に示したようにシールドケース３０としてシールドケース本体３１の他に接続部シールドケース３２ａ、３２ｂ、３２ｃを設け、この接続部シールドケース３２ａ、３２ｂ、３２ｃにおいて同軸ケーブル５１ａ、５１ｂ、５１ｃの編組線５３ａ、５３ｂ、５３ｃ部分を固定し、芯線５２ａ、５２ｂ、５２ｃと芯線金具３６ａ、３６ｂ、３６ｃの部分を接続部シールドケース３２ａ、３２ｂ、３２ｃ及びシールドケース本体３１でシールドするようにしているので、同軸ケーブルの接続手段として直付け（直接接続）の方法を用いた簡易な構成でありながら、図５に示したＦ型接栓やＦ型コネクタを用いたシールド構造と同等の非常に高いシールド効果を得ることができ、図３に示すように良好なシールド特性（不要放射特性）とすることができる。
【００３５】
図３における曲線ａは上記実施例１に係る２分配器のシールド特性を示したもので、横軸に周波数（ＭＨｚ）をとり、縦軸にシールド性能（１０ｄＢ／ｄｉｖ）をとって示した。なお、図３における曲線ｂは図４に示した従来の２分配器のシールド特性である。
【００３６】
図３から明らかなように上記実施例１に係る分配器では、従来の分配器に比較して非常に良好なシールド特性とすることができる。
【００３７】
また、本発明では同軸ケーブル５１ａ、５１ｂ、５１ｃには接栓を取付けていないので、安価であり、特殊工具を必要とせず、接続作業を円滑に行うことができる。
【００３８】
なお、上記実施例１では、シールドケース本体３１の前面に全ての接続部シールドケース３２ａ、３２ｂ、３２ｃを設けた場合について示したが、その他、例えば信号入力用の接続部シールドケース３２ａをシールドケース本体３１の側面に設け、信号出力用の接続部シールドケース３２ｂ、３２ｃをシールドケース本体３１の前面に設けるなど、接続部シールドケース３２ａ、３２ｂ、３２ｃをシールドケース本体３１の外側面に分散して設けてもよい。
【００３９】
また、上記実施例１では板バネ式の芯線金具３６ａ、３６ｂ、３６ｃを用いた場合について示したが、ネジ式の芯線金具を用いても同様にして実施し得るものである。
【００４０】
また、上記実施例１では２分配の分配器に実施した場合について示したが、その他、３分配や４分配等、更に多数に分配する分配器であっても同様にして実施し得るものである。
【００４１】
また、上記実施例１では分配器に実施した場合について示したが、その他、例えば同軸ケーブルにより伝送する複数の高周波信号を混合する混合器等、同軸ケーブルを接続する電子機器において上記実施例１と同様にして実施し得るものである。
【００４２】
また、本発明は、上記実施の形態そのままに限定されるものではなく、実施段階ではその要旨を逸脱しない範囲で構成要素を変形して具体化できるものである。
【符号の説明】
【００４３】
３０…シールドケース、３１…シールドケース本体、３２ａ、３２ｂ、３２ｃ…接続部シールドケース、３３ａ、３３ｂ…シールドケース蓋、３５…回路基板、３６ａ、３６ｂ、３６ｃ…芯線金具、３７ａ、３７ｂ、３７ｃ…芯線挿入用の穴、３８ａ、３８ｂ、３８ｃ…接続部シールドケースを保持するための溝、３９ａ、３９ｂ、３９ｃ…ケーブル挿通用の穴、４１ａ、４１ｂ、４１ｃ…係合用突部、４２ａ、４２ｂ、４２ｃ…止めネジ、４３ａ、４３ｂ、４３ｃ…抜け止め樹脂ワッシャ、４４ａ、４４ｂ、４４ｃ…固定バンド、４５ａ、４５ｂ、４５ｃ…ネジ挿入溝、４６…半田付け、５１ａ、５１ｂ、５１ｃ…同軸ケーブル、５２ａ、５２ｂ、５２ｃ…同軸ケーブルの芯線、５３ａ、５３ｂ、５３ｃ…同軸ケーブルの編組線。
【図１】
2011119523.tif 000003
【図２】
2011119523.tif 000004
【図３】
2011119523.tif 000005
【図４】
2011119523.tif 000006
【図５】
2011119523.tif 000007